(57)【要約】【課題】分岐接続箇所における接触圧力を安定的、長期的に維持することのできる分岐用接触子を提供すること。【解決手段】一対の導電性接触片１２，１４が互いに所定間隔離間して対向し、一端が導電性接触片１２、１４が相互に非連結で分離した挿入側端部１０ｂを構成し、他端が連結された連結側端部１０ａを構成し、挿入側端部１０ｂを導電部間に接触挿入させて分岐用の接続が行われる分岐用接触子において、挿入側端部１０ｂよりも連結側端部１０ａ寄り位置に設けられ対向する導電性接触片１２，１４が互いに近接する絞り部１０ｃと、絞り部１０ｃから連結側端部１０ａ側に所定長さに亘って設けられ絞り部１０ｃよりも対向する導電性接触片１２，１４の離間間隔を拡げた付加離間部１０ｄと、を有する。【選択図】図１
2010193682.tif 000002
【特許請求の範囲】
【請求項１】
一対の導電性接触片が互いに所定間隔離間して対向配置され、一端が前記導電性接触片が相互に非連結で分離した挿入側端部、他端が連結された連結側端部をそれぞれ構成し、前記挿入側端部を導電部間に接触挿入させて分岐用の接続が行われる分岐用接触子において、
前記挿入側端部と前記連結側端部との間に前記対向する導電性接触片の前記離間間隔を他の部分よりも小さくして近接させた絞り部を有することを特徴とする分岐用接触子。
【請求項２】
前記絞り部より前記挿入側端部側の部分で、且つ前記対向する導電性接触片の間に、当該導電性接触片を離間させる方向に付勢する付勢手段を設けたことを特徴とする請求項１に記載の分岐用接触子。
【請求項３】
前記付勢手段は、
板状体で、且つ一端側に弾性力を有する曲がり部を有し、
該曲がり部が前記絞り部よりも前記挿入側端部側に位置するように、前記対向する導電性接触片の間に設けられたことを特徴とする請求項２に記載の分岐用接触子。
【請求項４】
前記付勢手段は、
板状体をほぼ中央で折り返し屈曲させた屈曲端部と、
該屈曲端部から非屈曲端部までの途中位置に形成され離間間隔の狭くされた絞り対応部を有し、
前記非屈曲端部の先端は互いに離反する方向に屈曲させて形成された離反部とされ、
前記絞り対応部が前記対向する導電性接触片の前記絞り部に、前記屈曲端部が前記導電性接触片の前記連結側端部側に、前記離反部が前記導電性接触片の前記挿入側端部側に、それぞれ配置され、前記対向する導電性接触片の間に設置されたことを特徴とする請求項２に記載の分岐用接触子。
【請求項５】
前記絞り部から挿入側端部までの長さよりも前記絞り部から前記連結側端部までの長さを長く設定したことを特徴とする請求項１から４の何れか１項に記載の分岐用接触子。
【請求項６】
前記絞り部から前記挿入側端部側における前記対向する導電性接触片相互の離間間隔は、前記絞り部から前記連結側端部側における前記対向する導電性接触片相互の離間間隔よりも大きく設定されたことを特徴とする請求項１から５の何れか１項に記載の分岐用接触子。
【請求項７】
前記絞り部から前記連結側端部側への所定領域までの間に前記対向する導電性接触片相互を近接させる方向に付勢する付勢手段を設けたことを特徴とする請求項１から６の何れか１項に記載の分岐用接触子。
【発明の詳細な説明】
【技術分野】
【０００１】
本発明は、導電部からの分岐ラインを形成するために導電部間に挿入されて電気的に接続される分岐用接触子に関する。
【背景技術】
【０００２】
例えば、バスダクトなどの幹線から分岐して電流供給ラインを形成するために、バスダクト内の導電部に直接接続するために分岐用接触子が用いられている。この様な従来の接触子の例として、特許文献１では、導体に貫通穴を設け、その貫通穴に導電性接触片を所定間隔あけた状態で配置して弾性を有する接触子を形成しこれを上記貫通穴に挿入嵌着して、前記貫通穴の両側壁にその弾性接触子の両外側部を圧接させて接続する導体の分岐装置が開示されている。
【０００３】
また、特許文献２では、平板導体で形成した１対の導電性接触片を一端部で結合し、他端側で導電性接触片相互を所定間隔離間させて対向させ、接続側端部を形成している。そして、接続側端部の対向する接触片間にばね片を介在させ、接続側端部における接触片相互間の離反力を増加させ、接続対象である導体との間の接触状態の安定化を図ったプラグイン接触子が開示されている。
【先行技術文献】
【特許文献】
【０００４】
【特許文献１】実開昭６２−１５７９５号公報
【特許文献２】特開平１１−２６２１４２公報
【発明の概要】
【発明が解決しようとする課題】
【０００５】
しかし、特許文献１の技術では、弾性導電部分を導体の貫通穴に圧入嵌着する際の、嵌入圧力を長期に維持するために、弾性導電部分の離間箇所の長さを短くすることが望まれる。しかし、前記長さを単に短くすると、圧入嵌着時の圧力が強すぎて圧入嵌着が難しくなり、逆に長さを長くすると、導体との接触部分で導電性接触片が撓んで変形し、接触力が弱くなるおそれが増し、長期に亘っての嵌入圧力の維持が難しいという問題があった。
【０００６】
また、特許文献２の技術は、接触片間にバネ片を介在させることにより、接触片相互の外方への付勢力を増すことができるが、バネ片のみの付勢力に頼っていることから、長期的な使用においては、接触子の接触状態の点検、管理の頻度が増加するという事情がある。
【０００７】
本発明は上記課題を解決するためになされたものであり、その目的は、分岐接続箇所における接触圧力を安定的、長期的に維持することのできる分岐用接触子を提供することを目的とする。
【課題を解決するための手段】
【０００８】
上記課題を解決するため、請求項１に係る分岐用接触子は、
一対の導電性接触片が互いに所定間隔離間して対向配置され、一端が前記導電性接触片が相互に非連結で分離した挿入側端部、他端が連結された連結側端部をそれぞれ構成し、前記挿入側端部を導電部間に接触挿入させて分岐用の接続が行われる分岐用接触子において、
前記挿入側端部と前記連結側端部との間に前記対向する導電性接触片の前記離間間隔を他の部分よりも小さくして近接させた絞り部を有することを特徴とする。
【０００９】
この構成によれば、分岐用接触子を構成する対向する導電性接触片は、互いに離間した挿入側端部側の部分から、一旦、互いに近接する絞り部となり、そこから他方の連結側端部側の所定領域において再度離間した離間部を有することとなる。したがって、導体間に接触挿入される挿入側端部は、まず、導電性接触片が離間状態にあることによる基本的な離反力で接続対象である導体に対する接触押圧力を得ることができる。そして、更に、絞り部を支点としたテコの作用による離反力を得ることができる。すなわち、所定間隔をあけて設置されて対向する導電性接触片に同方向の電流が流れた場合、互いに、吸引し合う力が作用する。したがって、この吸引力によって、対向する導電性接触片が近接した状態にある絞り部では、導電性接触片相互は当接状態となる。これにより、この絞り部は支点として機能し、絞り部から連結側端部までの間における導電性接触片相互の引き合う力は、テコの作用により、挿入側端部側における導電性接触片相互の離反力を増加させる作用を奏する。したがって、この中間の絞り構造により、挿入側端部の安定した良好な離反力が確保維持される。
【００１０】
請求項２に係る分岐用接触子は、請求項１に記載の分岐用接触子において、
前記絞り部より前記挿入側端部側の部分で、且つ前記対向する導電性接触片の間に、当該導電性接触片を離間させる方向に付勢する付勢手段を設けたことを特徴とする。
【００１１】
この構成によれば、上記挿入側端部側の部分には、付勢手段による付勢力が働くことから、導体間に挿入される挿入側端部は、基本的に絞り部から連結側端部までの間よりも強い離反力が確保される。更に、上述のように絞り部から連結側端部までの間における電流が流れた際の導電性接触片相互の吸引力は、絞り部を支点としたテコの作用として挿入側端部の導電性接触片相互を離反させる方向に作用する。したがって、付勢手段と上述のテコの作用による離反力により挿入側端部の接触力の安定化が図られる。
【００１２】
請求項３に係る分岐用接触子は、請求項２に記載の分岐用接触子において、
前記付勢手段は、板状体で、且つ一端側に弾性力を有する曲がり部を有し、該曲がり部が前記絞り部よりも前記挿入側端部側に位置するように、前記対向する導電性接触片の間に設けられたことを特徴とする。
【００１３】
挿入側端部の強い離反力を得るための付勢手段が板状体で対向する導電性接触片に挟まれて設置される構成としたことで、付勢手段を簡単且つ安定して設置することが可能となっている。
【００１４】
請求項４に係る分岐用接触子は、請求項２に記載の分岐用接触子において、
前記付勢手段は、板状体をほぼ中央で折り返し屈曲させた屈曲端部と、
該屈曲端部から非屈曲端部までの途中位置に形成され離間間隔の狭くされた絞り対応部を有し、前記非屈曲端部の先端は互いに離反する方向に屈曲させて形成された離反部とされ、前記絞り対応部が前記対向する導電性接触片の前記絞り部に、前記屈曲端部が前記導電性接触片の前記連結側端部側に、前記離反部が前記導電性接触片の前記挿入側端部側に、それぞれ配置され、前記対向する導電性接触片の間に設置されたことを特徴とする。
【００１５】
この構成により、挿入側端部における強い離反力を簡単な構造で安定して得ることが可能となっている。また、本実施の形態では、付勢手段にも絞り部が形成されていることから、付勢手段の屈曲端部側部分が、上記対向する導電性接触片に生じる吸引力によって両側から締め付けられることで、対向する導電性接触片と同様に、絞り対応部が支点となってテコの作用が生じ、付勢手段の離反部は、このテコの作用によりより強い離反力を挿入側端部に伝えることが可能となっている。
【００１６】
請求項５に係る分岐用接触子は、請求項１から４の何れか１項に記載の分岐用接触子において、
前記絞り部から挿入側端部までの長さよりも前記絞り部から前記連結側端部までの長さを長く設定したことを特徴とする。
【００１７】
この構成によれば、分岐用接触子が分岐用の接続状態におかれ、電流が流れた場合、より長く設定されている絞り部から連結側端部までの間で、導電性接触片相互間のより強い引きつけ力が生じ、この対向する導電性接触片の吸引し合う力が、上述の絞り部を支点としたテコの作用で、挿入側端部側に作用することとなる。これにより、挿入側端部における離反力が安定して強く維持される。
【００１８】
請求項６に係る分岐用接触子は、請求項１から５の何れか１項に記載の分岐用接触子において、
前記絞り部から前記挿入側端部側における前記対向する導電性接触片相互の離間間隔は、前記絞り部から前記連結側端部側における前記対向する導電性接触片相互の離間間隔よりも大きく設定されたことを特徴とする。
【００１９】
この構成によれば、挿入側端部側部分の対向する導電性接触片相互の離間間隔が絞り部から連結側端部側への所定領域の導電性接触片相互の離間間隔よりも大きく取られていることから、挿入側端部が挿入圧縮された際には大きな離反力を発揮することができ、上述のテコの作用による離反力と併せて良好な導体への接触状態が確保される。
【００２０】
請求項７に係る分岐用接触子は、請求項１から６の何れか１項に記載の分岐用接触子において、
前記絞り部から前記連結側端部側への所定領域までの間に前記対向する導電性接触片相互を近接させる方向に付勢する付勢手段を設けたことを特徴とする。
【００２１】
この構成によれば、付勢手段によって絞り部から連結側端部側への所定領域の対向する導電性接触片相互が引き締められるので、絞り部を支点とするテコの作用が挿入側端部の導電性接触片相互を離反させる方向の力として作用し、挿入側端部における離反力がより強く安定したものとなる。
【発明の効果】
【００２２】
本発明に係る分岐用接触子によれば、絞り部から挿入側端部まで短い範囲での分離構造による基本的な安定した離反力を得ることができ、更に、電流が流れた際に絞り部から連結側端部までの間に生じる吸引力が、絞り部を支点としてテコの作用により、挿入側端部の対向する導電性接触片を互いに離反させる方向の力として作用する。これにより、挿入側端部の接続対象との接触関係はより安定したものとなり、接続対象からの分岐構造を複雑化、大型化させることなく、分岐用接触子の接触状態の長期的な安定化、更に、その接続状態維持の信頼性が高められる。
【図面の簡単な説明】
【００２３】
【図１】図１は、一の実施の形態を示しており、（Ａ）は分岐用接触子の分解斜視図、（Ｂ）は、組み立てた状態を示す正面説明図、（Ｃ）は、分岐用接触子の挿入後の状態を示す正面説明図、（Ｄ）は、（Ｃ）の分岐用接触子に電流が流れた状態を示す正面説明図である。
【図２】図２は実施の形態の分岐用接触子にて分岐可能なバスダクト及び接続部の斜視説明図である。
【図３】図３（Ａ）は実施の形態の分岐用接触子を有する分岐装置をバスダクトに取付ける前の状態を示す正面説明図、（Ｂ）は分岐用接触子を有する分岐装置をバスダクトに取り付けた後の状態を示す正面説明図である。
【図４】図４（Ａ）は、図３に示した分岐装置をバスダクトに取り付ける前の状態を示す断面説明図、（Ｂ）は分岐用接触子を有する分岐装置をバスダクトに取り付けた後の状態を示す断面説明図である。
【図５】図５は分岐用接触子の他の実施の形態を示しており、（Ａ）は分岐用接触子の分解斜視図、（Ｂ）は、組み立てた状態を示す正面説明図、（Ｃ）は、分岐用接触子の挿入後の状態を示す正面説明図、（Ｄ）は、（Ｃ）の分岐用接触子に電流が流れた状態を示す正面説明図である。
【図６】図６は更に他の分岐用接触子の他の実施の形態を示しており、（Ａ）は分岐用接触子の分解斜視図、（Ｂ）は、組み立てた状態を示す正面説明図、（Ｃ）は、分岐用接触子の挿入後の状態を示す正面説明図、（Ｄ）は、（Ｃ）の分岐用接触子に電流が流れた状態を示す正面説明図である。
【図７】図７は更に他の分岐用接触子の他の実施の形態を示しており、（Ａ）は分岐用接触子の分解斜視図、（Ｂ）は、組み立てた状態を示す正面説明図、（Ｃ）は、分岐用接触子の挿入後の状態を示す正面説明図、（Ｄ）は、（Ｃ）の分岐用接触子に電流が流れた状態を示す正面説明図である。
【図８】図８は更に他の分岐用接触子の他の実施の形態を示しており、（Ａ）は分岐用接触子の分解斜視図、（Ｂ）は、組み立てた状態を示す正面説明図、（Ｃ）は、分岐用接触子の挿入後の状態を示す正面説明図、（Ｄ）は、（Ｃ）の分岐用接触子に電流が流れた状態を示す正面説明図である。
【図９】図９は更に他の分岐用接触子の他の実施の形態を示しており、（Ａ）は分岐用接触子の分解斜視図、（Ｂ）は組み立てた状態を示す正面説明図である。
【図１０】図１０は図９に示した分岐用接触子を有する分岐装置のバスダクトへの取り付けを示す図であり、（Ａ）装着前の状態を示す説明図、（Ｂ）は装着した状態を示す説明図である。
【発明を実施するための形態】
【００２４】
以下、図面に基づいて本発明に係る分岐用接触子の実施の形態について詳細に説明する。図１は、実施の形態に係る分岐用接触子１０を示しており、同図（Ａ）は分解斜視図であり、同図（Ｂ）は各部材を結合して組み立てた状態を示す正面図、同図（Ｃ）は導電部相互間に挿入した状態を示す正面図、同図（Ｄ）は電流が流れた状態を示す正面図である。
【００２５】
同図（Ａ）に示すように本実施の形態に係る分岐用接触子１０は、略長方形の平板状の２枚の導電性接触片１２、１４の間に付勢手段である弾性材で略平板状からなる板バネ部材１６を介在させ、導電性接触片１２，１４相互をそれらの基部１２ａ，１４ａでリベット又はボルトナット等からなる結合具１８により結合して構成されている。同図（Ｂ）は、結合して組み立てられた状態の分岐用接触子１０が示されている。図示のように、板バネ部材１６は、導電性接触片１２，１４の何れか一方の対向面側に接着等で固定されている。なお、板バネ部材１６は、上記接着固定する構造に限られず、結合具１８により、両導電性接触片１２，１４の間に挟んで一括で結合する構造としても良く、組立が容易となる。
【００２６】
本発明において特徴的なことは、導電性接触片１２，１４の形状にあり、一端側には、凹凸なく形成された平板状の基部１２ａ，１４ａを有し、この基部１２ａ，１４ａの図における下方側に、互いに離間間隔を形成するように曲げられた離反部１２ｂ，１４ｂを有し、更に、図における下側に互いに近接する方向に曲げられた曲がり部１２ｃ，１４ｃを有し、更に、図における下側である他端部には、再度、互いに離間間隔を確保するように曲げられた離反部１２ｄ、１４ｄが形成されている。
【００２７】
上述のように、対向する２つの導電性接触片１２，１４は、基部１２ａ，１４ａにて連結結合される。同図（Ｂ）には連結結合された状態が示されており、図示のように、分岐用接触子１０は、連結側端部１０ａの反対側の端部に、２つの導電性接触片１２，１４が互いに所定間隔を空けて分離された状態の挿入側端部１０ｂが形成されている。
【００２８】
そして、この挿入側端部１０ｂの連結側端部１０ａ寄りの位置には、上記曲がり部１２ｃ、１４ｃの存在により、対向する導電性接触片１２，１４が近接する絞り部１０ｃが形成されている。そして、更に、この絞り部１０ｃから連結側端部１０ｂまでの所定領域に、対向する両導電性接触片１２，１４が所定間隔離間する状態の保たれた部分（以下、「付加離間部」１０ｄと称する）が存在している。本実施の形態では、付加離間部１０ｄの長手方向の長さαは、絞り部１０ｃを介して反対側に存する挿入側端部１０ｂ側の長手方向の長さβよりも長く形成されている。
【００２９】
また、バネ板部材１６は、例えば、リン青銅等の弾性を有する材料で構成され、同図（Ａ）に示したように、一端側に平板状の基部１６ａが、他端側に湾曲した形状の弾性部１６ｂがそれぞれ形成され、他端側先端は、基部１６ａと略平行の先端部１６ｃが形成されている。そして、同図（Ｂ）に示したように、この弾性部１６ｂが、分岐用接触子１０の挿入側端部１０ｂ側の内側位置に配されるように接着固定されている。
【００３０】
なお、本実施の形態では、分岐用接触子１０を構成する両導電性接触片１２，１４及びバネ板部材１６はそれぞれ結合状態における共通位置に切り込み形のスリット（１２ｅ，１４ｅ，１６ｅ）が形成され、接続対象への追随変形のための柔軟性が確保され接触面積を増大させる効果を奏する。また、挿入側端部１０ｂの先端部は先端側に細くなるようにカット面が形成されており、後述する導電部間への挿入を容易とする形状になっている。
【００３１】
同図（Ｂ）に示したように、本実施の形態に係る分岐用接触子１０の付加離間部１０ｄの厚さ方向サイズＡは、挿入側端部１０ｂ側の厚さ方向サイズＢとほぼ同じサイズ（Ａ＝Ｂ）となっている。
【００３２】
同図（Ｃ）は、上記のように形成された分岐用接触子１０を例えばバスダクトの導体相互間を接続するための導電性接続部材などの導電部１００相互間に挿入した状態が示されている。ここにおいて、導電部１００の相互間の距離がＢ１が上記挿入側端部１０ｂ側の厚さより小さい場合（Ｂ＞Ｂ１）、挿入側端部１０ｂを導体相互間に挿入すると、図示のように、挿入側端部１０ｂ側は、ＢからＢ１の長さまで圧縮されると共に、内側の板バネ部材１６の弾性部１６ｂも同様に圧縮される。
【００３３】
なお、この圧縮作用により、絞り部１０ｃを構成している対向する導電性接触片の曲がり部１２ｃ，１４ｃは、互いに板バネ部材１６を介在させた状態で当接した状態となる。この時、付加離間部１０ｄの厚さ方向サイズＡ１も絞り部１０ｃが当接状態まで狭くなったことで、絞り部１０ｃ側の部分も同様に多少狭くなっている。
【００３４】
以上のように、この状態では、導電部１００相互間に挿入された挿入側端部１０ｂにおける導電部１００に対する接触方向の付勢力は、絞り部１０ｃから挿入側端部１０ｂ側の対向する導電性接触片の離反力と介在する板バネ部材１６の付勢力によって発揮されている。絞り部１０ｃから先の挿入側端部１０ｂ側のコンパクトな構成部分での付勢力となり、不要な変形のおそれがなく接触圧力を長期に亘って維持することが可能となっている。
【００３５】
次に、図１（Ｄ）は、分岐用接触子１０に電流が流れた場合、すなわち、実際に分岐されたラインに電流供給がなされた状態では、対向する２つの導電性接触片１２，１４に同方向の電流が流れ、それら接触片は相互に引き合う力、すなわち、吸引力が生じる。この吸引力は挿入側端部１０ｂ側及び付加離間部１０ｄの双方で生じるが、本実施の形態では、中間に絞り部１０ｃが存在し、この電流供給時には、絞り部１０ｃの２つの導電性接触片の曲がり部１２ｃ、１４ｃは板バネ部材１６を介して当接した状態にある。挿入側端部１０ｂ側及び付加離間部１０ｄに生じる吸引力は、この絞り部１０ｃを支点として、テコの作用として双方に働き、この力が挿入側端部１０ｂ側における離反力を向上させる。
【００３６】
特に、本実施の形態では、上述のように、付加離間部１０ｄの長手方向の長さαが挿入側端部１０ｂ側の長手方向の長さβよりも長く設定されている。更に、付加離間部１０ｄの内側には板バネ部材は設けられていないので、吸引力は効果的に発揮され、図示のように、付加離間部１０ｄの厚さ方向サイズＡ２は、Ａ１より更に小さくなっている（Ａ１＞Ａ２）。その結果、絞り部１０ｃを支点とした付加離間部１０ｄの吸引力によるテコの作用は、挿入側端部１０ｂでの離反力として作用する。これにより、挿入側端部１０ｂでの導電部との接触圧は更に良好に維持される。なお、導電部１００相互間の間隔は変化しないので、図上、Ｂ１とＢ２は共通のサイズである。
【００３７】
この様に、上記実施の形態の分岐用接触子１０を使用することにより、構造が簡単で且つ安価な分岐用接触子により、電流が流れた状態での分岐用接触子の接触状態の長期的な安定化、更に、その接続状態維持の信頼性が高められる。
【００３８】
また、特に短絡電流等の大電流が流れた場合であっても、挿入側端部１０ｂによる接触力を良好に保つことが可能となる。
【００３９】
次に、上記実施の形態に使用した分岐用接触子１０を実際にバスダクトに使用する場合の例を示す。図２は、適用されるバスダクト２００，４００及びこれらバスダクトを接続するための接続部３００を示す斜視説明図、図３はバスクト２００，４００の接続部３００に、本発明に係る分岐用接触子１０を備えた分岐装置を取り付ける状態を示す正面説明図、図４は同じく接続部３００に分岐装置を取り付ける状態を示す断面説明図である。
【００４０】
図２に示すように、バスダクト２００及び４００は３線からなる平板状の導体２０−１〜２０−３及び４０−１〜４０−３が収納されており、各導体は絶縁物で被覆され絶縁被覆導体として積層されている。これらをハウジング２２，４２内に収納することによりバスダクト２００，４００が形成されている。
【００４１】
また、接続されるバスダクト２００，４００の端部においては、導体２０，４０はそれぞれ絶縁物が除去され、３本の導体間を拡開して対向配置される。ハウジング２２，４２は、この導体の拡開部近傍まで被覆してなり、導体２０，４０の拡開部より外方にはハウジング２２，４２の端部に取り付けられた接続側板２４，４４が被覆している。
【００４２】
以上からなるバスダクト２００，４００を導体２０、４０の端部が互いに向き合うように対向配置し、これら導体端部相互を接続部３００にて接続することにより電気幹線路が形成されている。
【００４３】
図３及び図４から理解されるように、接続部３００では、付き合わされた同相の導体２０，４０それぞれを導電性接続部材３０で挟持して電気的に接続し、更に、それぞれを絶縁セパレータ３２で仕切る基本構成が形成されている。これらをボルトナット等からなる締着具５０にて締着することでバスダクトの接続が行われるように接続ユニットが形成されている。
【００４４】
なお、図３（Ａ）は、本発明に係る分岐用接触子を備えるバスダクトの分岐装置５００が、バスダクトの接続部３００近傍の分岐位置に配置された状態、同図（Ｂ）は、分岐装置５００が接続部３００の分岐位置に装填され、分岐接続が行われた状態が示されている。
【００４５】
分岐装置５００の構造は、図３及び図４に示すように、ケーブル５２と分岐用接触子１０とを接続する端子５４及び底面を形成する基部５６、この基部５６を覆うカバー部材５８の二分割体で形成されている。
【００４６】
また、図４（Ａ）は分岐装置５００が接続部３００に装着される前の内部構造を示す断面図、同図（Ｂ）は接続部３００に装着された状態の内部構造を示す断面図である。図示のように、バスダクト２００，４００の導体３線のそれぞれ外側に位置し、導体と電気的に接続された導電性接続部材３０と接触可能な３つの分岐用接触子１０−１〜１０−３は、上方側が絶縁物６０で被覆された状態で基部５６から図上下方に突出しており、それぞれの分岐用接触子１０−１〜１０−３の上端に関しては外側相の分岐用接触子１０−１、１０−３がそれぞれ外方に屈曲され、中相の分岐用接触子１０−２が、外側相よりも上方へ突出して断面視デルタ配置状にケーブル５２との接続端子５４が形成されている。
【００４７】
また、カバー部材５８も上記端子５４の配置に対応したデルタ形状に構成され、二次側ケーブル５２を引出すためのケーブル引出し穴も端子５４同様にデルタ形状に配置されており、カバーの凹部と基部の凹部を重ね合わせることにより円形の引出し穴が形成される。更に、基部５６の下部にバスダクト２００，４００に係止するための係止部５９を有し、この係止部により分岐装置５００が、接続部３００に係止固定される。
【００４８】
なお、分岐装置５００の基部５６及びカバー部材５８は、金属製又は樹脂製など適宜であるが、好適には絶縁性を有する素材、例えば樹脂製であり、カバー部材５８或いは基部５６と端子の間の空間距離或いは沿面距離を考慮する必要がなくなり分岐装置５００自体の小型化を実現することが可能となっている。また、カバー部材５８は透明なものを使用すること好適であり、目視にて端子５４の状況を把握することが可能となる。
【００４９】
以上の構成からなる分岐装置５００をバスダクト２００，４００の接続部３００にて分岐する場合、図３（Ｂ）及び図４（Ｂ）に示すように、各相の分岐用接触子１０−１〜１０−３が、各相の導電性接続部材３０間に挿入されることにより、電気的に接続される。この状態で、分岐装置５００の基部５６に設けられた係止部５９が接続部３００側の対応箇所に係止され、確実な分岐接続状態が確保される。
【００５０】
以上のようにバスダクト２００，４００の幹線路から分岐装置５００によって分岐を行なった場合、例えばバスダクト２００，４００自体に短絡電流が流れた場合であっても、上述の実施の形態に係る構成の分岐用接触子１０によれば、接触不良による分岐部の熱の発生等を未然に防止することができ、二次災害を防ぐことが可能となる。
【００５１】
以上、図１に示した実施の形態に係る分岐用接触子１０を用いてバスダクトからの分岐を行う場合を例として説明したが、本発明は上記実施の形態に限定されるものではなく、発明の要旨の範囲内で種々の変形が可能である。
【００５２】
図５は、分岐用接触子の他の構成に係る実施の形態を示しており、同図（Ａ）は分解斜視図であり、同図（Ｂ）は組み立てられた分岐用接触子の全体構成を示す正面図、同図（Ｃ）は導電部相互間に挿入した状態を示す正面図、同図（Ｄ）は、電流が流れた状態を示す正面図である。
【００５３】
同図（Ａ）に示すように本実施の形態に係る分岐用接触子７０は、略長方形の平板状の２枚の導電性接触片７２、７４を対向させ、それらの一端部の平らな基部７２ａ，７４ａでリベット又はボルトナット等からなる結合具１８により結合して組み合わせている。同図（Ｂ）は、結合して組み立てられた状態の分岐用接触子７０が示されており、図示のように、２枚の導電性接触片７２、７４は結合状態で、基部７２ａ，７４ａから互いに離反量を増やすように反対方向に湾曲され、図示の結合状態で付加離間部７０ｄが形成されている。
【００５４】
そして、他端部の近傍位置に２枚の導電性接触片７２、７４が近接された（本実施の形態では、ほぼ当接されている）絞り部７０ｃが形成され、絞り部７０ｃの更に先端より位置には、２枚の導電性接触片７２、７４が離反する挿入側端部７０ａが形成されている。
【００５５】
図５（Ｂ）に示したように、本実施の形態に係る分岐用接触子７０の通常状態における挿入側端部７０ｂの厚さ方向サイズＢは、付加離間部７０ｄの厚さ方向サイズＡよりも、大きく確保されている（Ａ＜Ｂ）となっている。
【００５６】
同図（Ｃ）は、上記のように形成された分岐用接触子７０を導電部１００相互間に挿入した状態が示されている。ここにおいて、導電部１００の相互間の距離がＢ１が上記挿入側端部７０ｂの厚さＢより小さいので（Ｂ＞Ｂ１）、挿入側端部７０ｂを導体相互間に挿入すると、図示のように、挿入側端部７０ｂは、厚さ方向サイズが、ＢからＢ１の長さまで圧縮される。
【００５７】
なお、この圧縮作用により、絞り部７０ｃを構成している導電性接触片７２、７４は、互いに当接した状態となっている。そして、挿入側端部７０ｂでの圧縮作用は、絞り部７０ｃを支点としたテコの作用により、付加離間部７０ｄには離反力として働き、図示のように、付加離間部７０ｂの厚さ方向のサイズＡ１は、通常状態の厚さ方向サイズＡよりもやや広がって大きくなっている。
【００５８】
この状態では、導電部１００相互間に挿入された挿入側端部７０ｂにおける導電部１００に対する接触方向の付勢力は、絞り部７０ｃから挿入側端部７０ｂ側の対向する導電性接触片７２，７４の離反力の付勢力のみによって発揮されている。この様に、図１の実施の形態と同様に、絞り部７０ｃから先の挿入側端部７０ｂのコンパクトな構成部分での付勢力による接触状態となり、不要な変形のおそれがなく接触圧力を長期に亘って維持することが可能となっている。
【００５９】
また、本実施の形態では、付加離間部７０ｄの長手方向の長さαは、挿入側端部７０ｂの長手方向の長さβよりも長く形成しており、更に、付加離間部７０ｄの厚さ方向サイズＡよりも挿入側端部７０ｂの厚さ方向サイズＢを大きく形成している。すなわち、導電性接触片７２、７４の先端の湾曲部を付加離間部７０ｄよりも大きく張り出すように形成している。すなわち、上述の長さはα＞βであり、厚さ方向のサイズは、Ｂ＞Ａであり、この様に、挿入側端部７０ｂの離反力を大きく取っているので、図１に示した実施の形態のように板バネ部材１６を挿入側端部７０ｂ側に介在させる必要がない。したがって、製造費及び材料費に関してコストダウンが図られている。
【００６０】
同図（Ｄ）は、分岐用接触子７０に電流が流れた状態を示している。ここで、電流の導通時におけるテコの作用は、図１の実施例と同様に付加離間部７０ｄの長手方向長さαが、挿入側端部７０ｂの長手方向長さβよりも長く形成されていることから、電流が流れた際の付加離間部７０ｄで発揮される相互吸引力は、挿入側端部７０ｂよりも大きい。したがって、絞り部７０ｃを支点とするテコの作用は、挿入側端部７０ｂ側の離反力として効果的に発揮される。
【００６１】
図６は、更に他の実施の形態を示しており、同図（Ａ）は分解斜視図、同図（Ｂ）は組み立てられた分岐用接触子の全体構成を示す正面図、同図（Ｃ）は導電部相互間に挿入された状態を示す正面図、同図（Ｄ）は、電流が流れた状態を示す正面図である。
【００６２】
同図（Ａ）に示すように本実施の形態に係る分岐用接触子８０は、基本構成としては図５に示したものと同様であり、２枚の導電性接触片８２、８４を対向させ、それらの基部８２ａ，８４ａで結合具１８により結合して組み立てられる。
【００６３】
同図（Ｂ）に示したように、図５に示した分岐用接触子７０と異なる点は、付加離間部８０ｄのほぼ中央位置に外方から締め付ける方向に付勢するバネ部材８６を設けていることである。バネ部材８６は、導電性接触片８２、８４のほぼ中央位置にそれぞれ形成された穴部８３，８５に芯材８６ａを通し、その芯材８６ａの両端にワッシャーを互い違いに複数重ね合わせて構成したバネ部８６ｂを配し、これらを外方からボルトナット等の連結部にて締め付けて形成されている。これによりバネ部材８６は、付加離間部８０ｄの離間間隔を狭める方向に付勢している。
【００６４】
同図（Ｃ）は、上記のように形成された分岐用接触子８０を導電部１００相互間に挿入した状態が示されている。ここにおいて、導電部１００の相互間の距離Ｂ１が挿入側端部８０ｂの厚さＢより小さいので（Ｂ＞Ｂ１）、挿入側端部８０ｂを導体相互間に挿入すると、図示のように、挿入側端部８０ｂは、厚さ方向サイズが、ＢからＢ１の長さまで圧縮される。
【００６５】
なお、この圧縮作用は、絞り部８０ｃを支点としたテコの作用により、付加離間部８０ｄには離反力として働き、図示のように、付加離間部８０ｂの厚さ方向のサイズＡ１は、やや広がって大きくなっている。すなわち、バネ部材８６のバネ部８６ｂは収縮して、付加離間部８０ｂの離反動作を許容している。
【００６６】
同図（Ｄ）は、分岐用接触子８０に電流が流れた状態を示している。ここで、電流の導通時におけるテコの作用は、図１の実施例と同様に付加離間部８０ｄの長手方向長さαが、挿入側端部８０ｂの長手方向長さβよりも長く形成されていることから、付加離間部８０ｄで発揮される相互吸引力は、挿入側端部８０ｂよりも大きい。したがって、絞り部８０ｃを支点とするテコの作用は、挿入側端部８０側の離反力として効果的に発揮される。そして、本実施の形態ではバネ部材８６により、付加離間部８０ｄにおける対向する導電性接触片への引き付け力が付加されているので、付加離間部８０ｄにおける吸引作用はより効果的なものとなり、より大きなテコの作用を奏することができる。
【００６７】
なお、バネ部材８６の構造は、ワッシャーの組合せに限られず、スプリング等の弾性部材を介在させるなどで構成することも可能である。以上の構成により、電流が流れた際の接触力をより安定化させることが可能となっている。
【００６８】
次に、図７は、更に他の分岐用接触子９０実施の形態を示しており、同図（Ａ）は分解斜視図、同図（Ｂ）は組み立てられた分岐用接触子の全体構成を示す正面図、同図（Ｃ）は導電部相互間に挿入された状態を示す正面図、同図（Ｄ）は、電流が流れた状態を示す正面図である。
【００６９】
図示のように、本実施の形態で特徴的なことは、導電性接触片９２，９４の基部９２ａ，９４ａに続く下方部分にほぼ同じ長さの二つの湾曲部９２ｃ、９２ｄ、９４ｃ、９４ｄを設けていることである。そして、同図（Ｂ）に示したように、組み立て状態においては、それら２つの湾曲部が、挿入側端部９０ｂと付加離間部９０ｄを構成している。また、本実施の形態では、挿入側端部９０ｂと付加離間部９０ｄの長手方向の長さαがほぼ共通となっており、２つの湾曲部の境目に絞り部９０ｃが形成されている。
【００７０】
また、導電性接触片９２，９４の間には、挿入側端部９０ｂを外方へ付勢する弾性部９６ａを有する板バネ部材９６を介在させる構造を取っている。板バネ部材９６の取り付けは、導電性接触片９２，９４の間に板バネ部材９６を配置し、導電性接触片９２，９４の基部９２ａ，９４ａにて板バネ部材９６の上端部を挟んで、結合具１８にて結合して行われる。
【００７１】
この様に挿入側端部９０ｂと付加離間部９０ｄの長さがほぼ同じであるが、図５の実施の形態と同様に、分岐用接触子９０の通常状態における挿入側端部９０ｂの厚さ方向サイズＢは、付加離間部９０ｄの厚さ方向サイズＡよりも、大きく確保されている（Ａ＜Ｂ）となっている。したがって、大きな厚さ方向のサイズＢによって大きな反発力を得ると共に板バネ部材９６の付勢力による離反力も確保され、挿入側端部９０ｂの導電部に対する接触方向の圧力も大きく確保される。
【００７２】
なお、同図（Ｃ）は、上記のように形成された分岐用接触子９０を導電部１００相互間に挿入した状態が示されている。この状態では、上記図１の実施の形態と同様に、挿入側端部８０ｂの厚さ方向のサイズＢが導電部１００の相互間の距離Ｂ１まで圧縮され、その反発力を発揮しており、この状態では、挿入側端部８０ｂ自体の離反力と、板バネ部材９６の付勢力によって導電部を良好に押圧しつつ接触状態が保たれている。
【００７３】
なお、上記他の実施の形態と同様に、この圧縮作用は、絞り部９０ｃを支点としたテコの作用により、付加離間部９０ｄの離反力として働き、図示のように、付加離間部９０ｂの厚さ方向のサイズＡ１は、やや広がって大きくなっている。
【００７４】
同図（Ｄ）は、分岐用接触子９０に電流が流れた状態を示している。ここで、他の実施の形態と同様に、電流が流れた際の付加離間部９０ｄでの吸引力によるテコの作用は、挿入側端部９０ｂにおける離反力として働き、挿入側端部９０ｂはより安定的且つ効果的に押圧接触状態を維持することができる。すなわち、挿入側端部９０ｂは、それ自体の導電性接触片構造による離反力、内側の板バネ部材９６の付勢力、更に、付加離間部９０ｄからのテコの作用の総和の離反力を得ることが可能となっている。
【００７５】
図８は、更に他の実施の形態を示しており、同図（Ａ）は分解斜視図及び接続対象の導電部６００の斜視図、同図（Ｂ）は組み立てられた分岐用接触子の全体構成を示す正面図、同図（Ｃ）は導電部相互間に挿入された状態を示す正面図、同図（Ｄ）は、電流が流れた状態を示す正面図である。
【００７６】
同図（Ａ）に示すように本実施の形態に係る分岐用接触子１１０は、導電性接触片の基本構成としては図７に示したものと同様であり、２枚の導電性接触片１１２、１１４を対向させ、それらの基部１１２ａ，１１４ａで結合具１８により結合して組み立てられる。なお、接続される対象は、平板状の導電部６００であり、中央部に接続用穴部６００ａが形成されている。
【００７７】
同図（Ｂ）の組み立てられた分岐用接触子１１０から理解されるように、図７に示した分岐用接触子９０と異なる点は、バネ部材９６を設けていないことであり、付加離間部１１０ｄ、絞り部１１０ｃ、挿入側端部１１０ｂ等の主たる構成部分は共通するのでその説明を省略する。
【００７８】
更に、同図（Ｃ）は、本実施の形態に係る分岐用接触子１１０を導電部６００の接続用穴部６００ａに挿入した状態が示されており、同図（Ｄ）は、分岐用接触子１１０に電流が流れた状態を示している。そして、その付加離間部１１０ｄ、絞り部１１０ｃ、挿入側端部１１０ｂの作用は、上述の実施の形態において、導電部１００間に挿入した状態及び電流が流れたときと沿うようであり、その説明を省略する。なお、図上、表示Ａ，Ｂ，Ａ１，Ａ２、Ｂ１，Ｂ２は、上述の各実施の形態と同様の対象を示している。
【００７９】
図９は、更に他の実施の形態を示しており、同図（Ａ）は分解斜視図、同図（Ｂ）は組み立てられた分岐用接触子の全体構成を示す正面図である。図示のように、本実施の形態に係る分岐用接触子２１０は、上記各実施の形態の基本構成とは異なり、導電性接触片２１２と２１４はそれぞれ異なる形状を有している。すなわち、導電性接触片２１２の基部２１２ａは屈曲しない平板状とし、導電性接触片２１４の基部２１４ａだけに屈曲部２１４ｅを形成することで、付加離間部２１０ｄを構成するようにしている。
【００８０】
絞り部２１０ｃを形成するための対向面側へ凸の湾曲部２１２ｃ、２１４ｃ、更に、挿入側端部２１０ｂを構成するための先端の離反部２１２ｂ、２１４ｂは他の実施の形態とほぼ同様の構成を有している。
【００８１】
また、本実施の形態では、導電性接触片２１２，２１４の間に、バネ部材２１６を介在させる構造を取っている。バネ部材２１６の構成は、板状体をほぼ中央部分で折り返し屈曲させて構成しており、屈曲端部２１６ｄ側に離間部が形成され、非屈曲側端部に絞り対応部としてのバネ絞り部２１６ｃ及び先端離反部２１６ｂを形成している。
【００８２】
バネ部材２１６の取り付けは、導電性接触片２１２，２１４の間に介在するように行われ、分岐用接触子２１０の絞り部２１０ｃにバネ絞り部２１６ｃが位置し、付加離間部２１０ｄの部分に屈曲端部２１６ｄが位置し、挿入側端部２１０ｂに先端離反部２１６ｂが位置するように設置される。この取り付け構成によれば、先端に向かって離間間隔の拡げられた先端離反部２１６ｂが、挿入側端部２１０ｂのより先端近くで、且つ略同一高さ位置を内側から付勢することができ、より効果的に付勢力を伝えることができ、より安定した分岐接続状態を確保するができる。
【００８３】
そして、各部材のそれぞれ対向する位置で、導電性接触片２１２，２１４には、対向面方向に突出する小突起２１２ｆ、２１４ｆを形成し、バネ部材２１６には対向箇所に貫通孔２１６ｆを設け簡単に位置決め設置できるように構成され、バネ部材２１６の落下防止機能も有効に奏するものである。
【００８４】
図１０は、図９に示した分岐用接触子２１０を図２，図３に示したバスダクトの接続部とは異なる構成の接続部３１０の導電性接続部材３１間に挿入する状況を示している。同図（Ａ）は、挿入前の状態、同図（Ｂ）は挿入した状態が示されている。
【００８５】
図示のように、分岐用接触子２１０は、分岐装置５１０内に設置され、挿入側端部２１０ｂが下方から突出している。分岐装置５１０は、図示していないケーブルと分岐用接触子２１０とを接続する端子５１２及び底面を形成する基部５１６、この基部５１６を覆うカバー部材５１８を有している。
【００８６】
バスダクトの導体３線２１−１〜２１−３の両側に配置された導電性接続部材３１と接触可能な３つの分岐用接触子２１０−１〜２１０−３は、それぞれの上端に関しては外側相の分岐用接触子２１０−１、２１０−３がそれぞれ外方に屈曲され、中相の分岐用接触子２１０−２が、外側相よりも上方へ突出して断面視デルタ配置状に形成されている。なお、分岐装置５１０の材質等は、図３，図４で説明したものと同様である。
【００８７】
同図（Ｂ）は、以上の構成からなる分岐装置５１０を接続部３１０にて分岐接続した状態が示されている。図示のように、各相の分岐用接触子２１０−１〜２１０−３の挿入側端部２１０ｂが、各相の導電性接続部材３１間に挿入されることにより、電気的に接続されている。
【００８８】
この時、挿入側端部２１０ｂは、自らの弾性構成による離反力及び板バネ部材２１６による付勢力にて良好な押圧力で、導電性接続部材３１に接触している。そして、他の実施の形態と同様に、この分岐用接触子２１０に電流が流れた際にも、付加離間部２１０ｄに生じる吸引力と絞り部２１０ｃを支点とするテコの作用による挿入側端部２１０ｂの先端の離反力の増強作用を得ることができる。更に特徴的なことは、本実施の形態では、バネ部材２１６にもバネ絞り部２１６ｃが形成されていることから、バネ部材２１６の屈曲側端部２１６ｄが、上記付加離間部２１０ｄに生じる吸引力によって両側から締め付けられることで、導電性接触片２１２、２１４と同様にバネ絞り部２１６ｃが支点となってテコの作用が生じ、バネ部材２１６の先端離反部２１６ｂは、このテコの作用によりより強い離反力を挿入側端部２１０ｂの先端に伝えることが可能となっている。
【００８９】
また、例えば、バネ部材２１６自体を導電性を有する部材で構成すれば、バネ部材２１６の屈曲端部２１６ｄ側自体にも離間部に電流が流れて吸引力が発生し、バネ絞り部２１６ｂが支点となってテコの作用が生じ、バネ部材２１６の先端離反部２１６ｂのより離反力を向上させることができるため、好適である。
【００９０】
また、図１０に示すように、分岐装置５１０の基部から下方に突出している絶縁物の下端位置近傍に分岐用接触子２１０−１〜２１０−３の絞り部２１０ｃが位置するように設計しているため、位相の分岐用接触子２１０−１〜２１０−３相互の沿面距離を長くすることが可能となっている。すなわち、絶縁物の下端が絞り部２１０ｃの存在により分岐用接触子２１０−１〜２１０−３に接していないため、その接していない分だけの距離の沿面距離を長くすることが可能となっている。
【００９１】
なお、本発明は、上記種々の実施に形態の構成に限定されるものではなく、発明の要旨の範囲内で種々の変更が可能である。例えば、挿入側端部と付加離間部の長手方向の長さは、特に、限定されるものではなく、何れを長くするか、ほぼ同様の長さとするかなどは、バネ部材の使用の有無などに応じて種々設定することが可能である。更に、挿入側端部には内方から外方へ付勢するバネ部材を介在させ、一方、付加離間部には内方へ付勢するバネ部材を設ける構成など適宜採用可能であることも上記図６の実施の形態に示した通りである。
【００９２】
また、接続の対象となる部位は、上記実施の形態では、バスダクトからの分岐を例にして示したが、これに限られるものではなく、他の部位からの分岐にも適用することが可能である。
【００９３】
また、図１に示した分岐用接触子のスリットは、上記の各実施の形態全てにおいて、適宜採用することが可能である。更に、バネ部材を使用した実施の形態に関して、バネ部材にもスリットを設けても良く、更に、２本以上のスリットを設けても良く、より確実に接触することが可能となり、安定した分岐が可能となる。
【００９４】
更に、各実施の形態全てに関して、接触片の端部のカット部はアール部形状であっても良く、挿入箇所である導電部を傷つける心配がなくなる。
【符号の説明】
【００９５】
１０，７０，８０，９０，１１０，２１０  分岐用接触子
１０ｂ，７０ｂ，８０ｂ，９０ｂ，１１０ｂ，２１０ｂ  挿入側端部
１０ｃ，７０ｃ，８０ｃ，９０ｃ，１１０ｃ，２１０ｃ  絞り部
１０ｄ，７０ｄ，８０ｄ，９０ｄ，１１０ｄ，２１０ｄ  付加離間部
１２，１４  導電性接触片
１６  板バネ部材
【図１】
2010193682.tif 000003
【図２】
2010193682.tif 000004
【図３】
2010193682.tif 000005
【図４】
2010193682.tif 000006
【図５】
2010193682.tif 000007
【図６】
2010193682.tif 000008
【図７】
2010193682.tif 000009
【図８】
2010193682.tif 000010
【図９】
2010193682.tif 000011
【図１０】
2010193682.tif 000012